(57)【要約】【課題】従来技術例では、画像形成後の記録媒体を管理する時、管理する必要な情報を印字する箇所が無い場合には、記録媒体の管理が困難となる。本発明は、記録媒体の管理を、容易に行える様、記録媒体の余白に付加情報を印字することを目的とする。【課題を解決するための手段】画像記録部と画像記録する為の記録媒体を該画像記録部に供給する内部供給機構を有する画像印字装置において、印字動作シーケンスは、記録媒体の印字動作で、記録媒体に付加情報を印字する動作の可否を画像印字装置のオペレーションパネルにより選択でき、記録媒体に付加情報を印字できるインクジェット方式記録装置を提供する。【選択図】図1
2006159850.tif 000002
【特許請求の範囲】
【請求項１】
画像記録部と、該画像記録部に画像印字するための記録媒体を供給する機構を有する画像印字装置において、
前記画像記録部は、前記記録媒体に印字動作するシーケンスを有し、記録媒体に付加情報を印字することを特徴とする画像印字装置。
【請求項２】
前記印字動作シーケンスは、記録媒体の印字動作で、記録媒体に付加情報を印字する動作の可否を画像印字装置のオペレーションパネルにより選択できることを特徴とする請求項１の画像印字装置。
【請求項３】
前記記録媒体はロール紙に付加情報を印字可能であることを特徴とする請求項１，２の画像印字装置。
【請求項４】
前記記録媒体はカット紙に付加情報を印字可能であることを特徴とする請求項１，２の画像印字装置。
【請求項５】
前記画像印字装置はインクジェット方式画像記録装置であることを特徴とする。
【発明の詳細な説明】
【技術分野】
【０００１】
本発明は、画像印字装置に関するもので、印字物の管理に必要な情報を記録媒体に印字することを考慮した画像印字装置に関する。
【背景技術】
【０００２】
図２は従来技術の全体構成を示す図で、１は画像印字装置（プリンタ）、２はプリンタ１を操作しやすいように所定の位置に保持するスタンド（脚部）である。
【０００３】
プリンタ１は、記録媒体であるロール紙１０１、被ロール紙１０１に画像を印字するための記録ヘッド１０２、被ロール紙１０１を切断するためのカッターユニット１１２、記録ヘッド１０２やカッターユニット１１２を搭載するキャリッジユニット１１１、印字に必要なインクを搭載しておくインクタンク１０３、ロール紙１０１に記録ヘッド１０９で印字する際に、ロール紙を安定した平面にするための印字プラテン１０４、画像記録部の動作状態の指示を行うオペレーションパネル１０５、ホストコンピュータ（不図示）の指示に応じてプリント動作を判断選択するプリント制御部１０８、プリンタ１に電力を供給する電源部１０７などで構成されている。
【０００４】
画像印字部での印字動作は、ロール紙１０１が印字プラテン１０４位置にセッティングされた後、所定の画像データに従い、インクタンク１０３から供給されたインクが記録ヘッド１０２から吐出され、ロール紙１０１に画像形成が行われる。
【０００５】
画像形成はキャリッジユニット１１１に搭載の記録ヘッド１０２が、図中手前から奥方向、あるいは奥から手前方向に往復動しながら行われ、印字が終了した部位から順次ロール紙１０１が搬送ローラ１１０により送り出されて、画像記録部の外部へ印字物１０６として排出される。図示していないが、インクタンク１０３は、一例としてブラック・マゼンタ・シアン・イエロー・ライトシアン・ライトマゼンタの６種類のインクタンクで構成されている。また、記録ヘッドは各インク種に応じた６個のヘッドが搭載されている。
【０００６】
従来技術の画像印字装置１でのロール紙１０１への印字フローを図３に示す。
【０００７】
まず画像形成のため、キャリッジユニット１１１装備のイ記録ヘッド１０２が移動し、印字を開始する。
【０００８】
印字開始後，キャリッジユニット１１１付属のカッターユニット１１２位置までが画像形成が終了すると、画像形成を一時中断して、カッターユニット１１２での画像先端余白の切断を行う。
【０００９】
画像先端余白の切断が終了すると、一時中断していた画像印字を再開し、画像印字が終了すると、画像後端余白の切断を行い、画像印字動作が終了する。
【発明の開示】
【発明が解決しようとする課題】
【００１０】
上記の従来技術例では、画像形成後の記録媒体を管理する時、管理する必要な情報が無いため、記録媒体の管理が効率的ではない。
【００１１】
本発明は、記録媒体の管理を効率的に行えるよう、記録媒体の余白に必要な情報を印字することを目的とする。
【課題を解決するための手段】
【００１２】
画像記録部と、該画像記録部に画像印字するための記録媒体を供給する機構を有する画像印字装置において、
前記画像記録部は、前記記録媒体に印字動作するシーケンスを有し、記録媒体に付加情報を印字することを特徴とする画像印字装置。
【００１３】
または、上記目的を達成するため、前記印字動作シーケンスは、記録媒体の印字動作で、記録媒体に付加情報を印字する動作の可否を画像印字装置のオペレーションパネルにより選択できることを特徴とする。
【００１４】
または、上記目的を達成するため、前記記録媒体はロール紙に付加情報を印字可能であることを特徴とする。
【００１５】
または上記目的を達成するため、前記記録媒体はカット紙に付加情報を印字可能であることを特徴とする。
【００１６】
または、上記目的を達成するため、前記画像記録部はインクジェット方式画像記録装置であることを特徴とする。
【発明の効果】
【００１７】
本発明は、ロール紙（カット紙）の画像印字に表面用と裏面用との2つのヘッドを使用する。
【００１８】
これにより、ロール紙（カット紙）への情報の印字作業効率を良くすることで、従来の方法より印字物の管理を、容易に行う事が実現できる。
【発明を実施するための最良の形態】
【００１９】
以下、本発明の実施例については、図面に基づいて詳細に説明する。
【実施例】
【００２０】
図１は本発明の全体構成を示す図で、１は画像印字装置（プリンタ）、２はプリンタ１を操作しやすいように所定の位置に保持するスタンドである。
【００２１】
プリンタ１は、記録媒体であるロール紙１０１、前記ロール紙１０１に画像を印字するための記録ヘッド１０２、前記ロール紙１０１を切断するためのカッターユニット１１２、記録ヘッド１０２やカッターユニット１１２を搭載するキャリッジユニット１１１、被ロール紙１０１の裏面側に画像を印字するための記録ヘッド１０９、印字に必要なインクを搭載しておくインクタンク１０３、ロール紙１０１に記録ヘッド１０９で印字する際に、ロール紙を安定した平面にするための印字プラテン１０４、画像記録部の動作状態の指示を行うオペレーションパネル１０５、ホストコンピュータ（不図示）の指示に応じてプリント動作を判断選択するプリント制御部１０８、プリンタ１に電力を供給する電源部１０７などで構成されている。画像記録部での印字動作は、ロール紙１０１が印字プラテン１０４位置に搬送された後、所定の画像データに従い、インクタンク１０３から供給されたインクが記録ヘッド１０２から吐出され、ロール状の印字紙１０１に画像形成が行われる。画像形成は記録ヘッド１０２が、図中手前から奥方向、あるいは奥から手前方向に往復動しながら行われ、印字が終了した部位から順次ロール紙１０１が搬送ローラ１１０により送り出されて、画像記録部の外部へ印字物１０６として排出される。図示していないが、インクタンク１０３は、一例としてブラック・マゼンタ・シアン・イエロー・ライトシアン・ライトマゼンタの６種類のインクタンクで構成されている。また、記録ヘッドは各インク種に応じた６個のヘッドが搭載されている。
【００２２】
本発明のプリンタ１でのロール紙１０１の印字手順を図４に示す。（カット紙の印字フローはなし）
【００２３】
最初に、画像形成を始める前段階で、使用者は画像印字装置１のオペレーションパネル１０５より付加情報印字可否の指示を行う。
【００２４】
次に、画像形成のため、キャリッジユニット１１１装備の記録ヘッド１０２が移動し、印字する。前記印字は、キャリッジユニット１１１付属のカッターユニット１１２位置まで画像形成が終了すると、画像形成を一時中断して、カッターユニット１１２での画像先端余白の切断を行う。
【００２５】
ここで、画像先端余白の切断中の画像形成が中断している時に、印字プラテン１０４下の記録ヘッド１０９からインクを吐出して、ロール紙１０１の画像形成の先端部裏面に付加情報を印字する。
【００２６】
付加情報とは、印字枚数表示（＊＊＊／＊＊＊枚）、印字ファイルネーム（＊＊＊．jpg）、郵送先の住所、氏名、他の必要と思われる情報を示す。
【００２７】
これらの付加情報を印字することで、画像形成後の印字物１０６を丸めて束ねた時等、印字プラテン１０４下の記録ヘッド１０９から印字した付加情報が、ユーザーに対して有効な付加情報となり、印字物１０６を効率的に管理し易くなる。
【００２８】
そして、印字プラテン１０４下の記録ヘッド１０９からのインク吐出と、カッターユニット１１２での画像先端余白の切断が終了すると、一時中断していた画像印字を再開する。画像印字が終了すると、画像後端余白の切断を行い、画像印字動作が終了する。
【００２９】
この実施例では、先端余白の印字を例にしたが、印字物の管理に必要な情報印字はオペレーションパネル１０５からの指示により、記録媒体の表裏面の余白部分のどの位置にでも印字可能である。
【図面の簡単な説明】
【００３０】
【図１】本発明の全体構成図
【図２】従来技術の全体構成図
【図３】従来技術のシーケンス図
【図４】本発明のシーケンス図
【符号の説明】
【００３１】
１：プリンタ（画像印字装置部）
２：スタンド（脚部）
１０１：ロール紙
１０２：記録ヘッド
１０３：インクタンク
１０４：印字プラテン
１０５：オペレーションパネル
１０６：印字物
１０７：電源部
１０８：プリント制御部
１０９：記録ヘッド
１１０：搬送ローラ
１１１：キャリッジユニット
１１２：カッターユニット
【図１】
2006159850.tif 000003
【図２】
2006159850.tif 000004
【図３】
2006159850.tif 000005
【図４】
2006159850.tif 000006